(57)【要約】【課題】端末装置に表示されるホーム画面を復元する際に、取得が不可能なアプリケーションのアイコンを削除する手間を低減すること。【解決手段】ホーム画面を表示する表示部と、自端末装置以外の端末装置である他端末装置のホーム画面の画面構成情報の記録データに含まれる各アプリケーションのアイコンのホーム画面における位置を示すアイコン位置情報に基づいて、自端末装置のアイコンをアイコン位置情報で示される位置に配置したホーム画面を構成するホーム画面構成部と、他端末装置の各アプリケーションの使用情報に基づいて、記録データにアイコン位置情報が存在するアイコンに対応するアプリケーションであって自端末装置にインストールされていないアプリケーションインストール処理を実行するアプリケーションインストール部と、を備える端末装置である。【選択図】図１３
2017049936.tif 000002
【特許請求の範囲】
【請求項１】
ホーム画面を表示する表示部と、
自端末装置以外の端末装置である他端末装置のホーム画面の画面構成情報の記録データに含まれる各アプリケーションのアイコンのホーム画面における位置を示すアイコン位置情報に基づいて、自端末装置のアイコンを前記アイコン位置情報で示される位置に配置したホーム画面を構成するホーム画面構成部と、
前記他端末装置の各アプリケーションの使用情報に基づいて、前記記録データにアイコン位置情報が存在するアイコンに対応するアプリケーションであって自端末装置にインストールされていないアプリケーションである未インストールアプリケーションのインストール処理を実行するアプリケーションインストール部と
を備える端末装置。
【請求項２】
前記アプリケーションインストール部は、前記使用情報に基づいて、前記未インストールアプリケーションの各々のインストール処理の実行の優先度を決定する
請求項１に記載の端末装置。
【請求項３】
前記アプリケーションインストール部は、前記使用情報で示される使用頻度が比較的少ない前記未インストールアプリケーションのうち重要度が大きい前記未インストールアプリケーションの前記優先度を上げる
請求項２に記載の端末装置。
【請求項４】
前記ホーム画面構成部は、前記使用情報に基づいて、前記未インストールアプリケーションの各々のインストール後のアイコンの配置先を決定する
請求項１から請求項３のいずれか一項に記載の端末装置。
【請求項５】
前記ホーム画面構成部は、前記使用情報に基づいて、前記未インストールアプリケーションの各々のインストール後のアイコンの表示方法を決定する
請求項１から請求項４のいずれか一項に記載の端末装置。
【請求項６】
前記アプリケーションインストール部が行った前記未インストールアプリケーションのインストールの成否を判定する成否判定部と、
前記成否判定部の判定結果に基づいて、前記未インストールアプリケーションのアイコンをホーム画面上から削除する削除部と、
を更に備える
請求項１から請求項５のいずれか一項に記載の端末装置。
【請求項７】
前記削除部は、
前記成否判定部の判定結果に基づいて、前記未インストールアプリケーションのアイコンをホーム画面上のサブフォルダ内に移動することにより、当該アイコンをホーム画面上から削除する
請求項６に記載の端末装置。
【請求項８】
前記成否判定部の判定結果に基づいて、前記未インストールアプリケーションのアイコンをホーム画面上から削除するか否かを示す画像を表示する表示制御部と、
前記表示制御部が前記画像を表示することに応じて、前記未インストールアプリケーションのアイコンをホーム画面上から削除する操作を受付ける操作受付部と、
を更に備え、
前記削除部は、
前記操作受付部が受付ける前記操作に基づいて、前記未インストールアプリケーションのアイコンをホーム画面上から削除する
請求項６または請求項７に記載の端末装置。
【発明の詳細な説明】
【技術分野】
【０００１】
本発明は、端末装置に関する。
【背景技術】
【０００２】
従来、情報処理装置の操作方法として、例えば特許文献１が知られている。この従来技術では、情報処理装置のソフトウェアの実行指示をユーザが容易に行う受付手段としてアイコンが用いられている。ユーザは情報処理端末の表示手段に表示されたアイコンを操作することにより、情報処理端末のソフトウェアの実行指示を行う。
【先行技術文献】
【特許文献】
【０００３】
【特許文献１】特開２０１０−２２４８９６号公報
【発明の概要】
【発明が解決しようとする課題】
【０００４】
しかし、上述した従来の技術では、アイコンを削除する際に、情報処理装置からアイコンを１つずつ削除することが求められる場合があった。これにより従来の技術では、利用者の操作が煩雑になる可能性があった。
【０００５】
本発明は、このような事情を考慮してなされたものであり、端末装置に表示されるホーム画面を復元する際に、取得することが不可能なアプリケーションのアイコンを削除する手間を低減することができる端末装置を提供することを課題とする。
【課題を解決するための手段】
【０００６】
（１）本発明の一態様は、ホーム画面を表示する表示部と、自端末装置以外の端末装置である他端末装置のホーム画面の画面構成情報の記録データに含まれる各アプリケーションのアイコンのホーム画面における位置を示すアイコン位置情報に基づいて、自端末装置のアイコンを前記アイコン位置情報で示される位置に配置したホーム画面を構成するホーム画面構成部と、前記他端末装置の各アプリケーションの使用情報に基づいて、前記記録データにアイコン位置情報が存在するアイコンに対応するアプリケーションであって自端末装置にインストールされていないアプリケーションである未インストールアプリケーションのインストール処理を実行するアプリケーションインストール部と、を備える端末装置である。
（２）本発明の一態様は、上記（１）の端末装置において、前記アプリケーションインストール部は、前記使用情報に基づいて、前記未インストールアプリケーションの各々のインストール処理の実行の優先度を決定する、端末装置である。
（３）本発明の一態様は、上記（２）の端末装置において、前記アプリケーションインストール部は、前記使用情報で示される使用頻度が比較的少ない前記未インストールアプリケーションのうち重要度が大きい前記未インストールアプリケーションの前記優先度を上げる、端末装置である。
（４）本発明の一態様は、上記（１）から（３）のいずれかの端末装置において、前記ホーム画面構成部は、前記使用情報に基づいて、前記未インストールアプリケーションの各々のインストール後のアイコンの配置先を決定する、端末装置である。
（５）本発明の一態様は、上記（１）又は（４）のいずれかの端末装置において、前記ホーム画面構成部は、前記使用情報に基づいて、前記未インストールアプリケーションの各々のインストール後のアイコンの表示方法を決定する、端末装置である。
（６）本発明の一態様は、上記（１）又は（５）のいずれかの端末装置において、前記アプリケーションインストール部が行った前記未インストールアプリケーションのインストールの成否を判定する成否判定部と、前記成否判定部の判定結果に基づいて、前記未インストールアプリケーションのアイコンをホーム画面上から削除する削除部と、を更に備える端末装置である。
（７）本発明の一態様は、上記（６）の端末装置において、前記削除部は、前記成否判定部の判定結果に基づいて、前記未インストールアプリケーションのアイコンをホーム画面上のサブフォルダ内に移動することにより、当該アイコンをホーム画面上から削除する、端末装置である。
（８）本発明の一態様は、上記（６）又は（７）のいずれかの端末装置において、前記成否判定部の判定結果に基づいて、前記未インストールアプリケーションのアイコンをホーム画面上から削除するか否かを示す画像を表示する表示制御部と、前記表示制御部が前記画像を表示することに応じて、前記未インストールアプリケーションのアイコンをホーム画面上から削除する操作を受付ける操作受付部と、を更に備え、前記削除部は、前記操作受付部が受付ける前記操作に基づいて、前記未インストールアプリケーションのアイコンをホーム画面上から削除する、端末装置である。
【発明の効果】
【０００７】
本発明によれば、端末装置に表示されるホーム画面を復元する際に、取得することが不可能なアプリケーションのアイコンを削除する手間を低減する効果が得られる。
【図面の簡単な説明】
【０００８】
【図１】本発明の一実施形態に係る通信システムの例を示す構成図である。
【図２】本発明の一実施形態に係る端末装置１を示す構成図である。
【図３】図２に示す制御部１１の機能構成図である。
【図４】図２に示す記憶部１２の記憶構成例を示す図である。
【図５】本発明の一実施形態に係るホーム画面復元方法のフローチャートである。
【図６】本発明の一実施形態に係るホーム画面構成情報記録データ４０の構成例を示す図表である。
【図７】本発明の一実施形態に係るホーム画面構成情報記録データ４０を説明するための図である。
【図８】本発明の一実施形態に係るホーム画面構成方法のフローチャートである。
【図９】本発明の一実施形態に係るインストール済みアプリケーション情報ファイル３４ａの構成例を示す図である。
【図１０】本発明の一実施形態に係る未インストールアプリケーションの対処方法のフローチャートである。
【図１１】本発明の一実施形態に係る差分情報ファイル３４ｂの構成例を示す図である。
【図１２】本発明の一実施形態に係る未インストールアプリケーションの削除方法のフローチャートである。
【図１３】従来の技術に係るホーム画面の復元の例の説明図である。
【図１４】本発明の一実施形態に係る第１のアイコンの削除の例の説明図である。
【発明を実施するための形態】
【０００９】
以下、図面を参照し、本発明の実施形態について説明する。
図１は、本発明の一実施形態に係る通信システムの例を示す構成図である。図１において、端末装置１は、無線通信ネットワーク２を介して他の装置と通信を行う。端末装置１は、無線通信ネットワーク２を介して、無線通信ネットワーク２に接続される利用者情報管理サーバ３及び第１アプリケーション提供サーバ４にアクセスする。無線通信ネットワーク２は通信回線を介してインターネット６と接続する。端末装置１は、無線通信ネットワーク２を介して、インターネット６に接続される第２アプリケーション提供サーバ５にアクセスする。
【００１０】
なお、利用者情報管理サーバ３、第１アプリケーション提供サーバ４及び第２アプリケーション提供サーバ５は、端末装置１から無線通信ネットワーク２を介してアクセスすることができればよく、上記の図１の構成に限定されない。例えば、利用者情報管理サーバ３、第１アプリケーション提供サーバ４及び第２アプリケーション提供サーバ５のうち、全てが無線通信ネットワーク２に接続されていてもよく、又は、全てがインターネット６に接続されていてもよく、又は、いずれか一つ若しくは二つが無線通信ネットワーク２に接続され残りがインターネット６に接続されていてもよい。
【００１１】
図２は、本発明の一実施形態に係る端末装置１を示す構成図である。図１において、端末装置１は、制御部１１と記憶部１２と通信部１３と操作部１４と表示部１５と接続部１６を備える。これら各部はデータを交換できるように構成される。制御部１１は、メモリ及びＣＰＵ（中央処理装置）を備え、制御部１１の機能を実現するためのコンピュータプログラムをＣＰＵが実行することによりその機能を実現させる。
【００１２】
記憶部１２は、制御部１１のＣＰＵで実行されるコンピュータプログラム及び各種のデータを記憶する。記憶部１２としては、例えば、ハードディスク装置、フラッシュメモリ等の不揮発性のメモリ、ＤＲＡＭ（Dynamic Random Access Memory）等の揮発性のメモリなどが利用可能である。
【００１３】
通信部１３は、無線通信ネットワーク２を介して、端末装置１の外部の装置と通信を行う。操作部１４は、入力デバイスから構成され、利用者の操作に応じたデータ入力を行う。入力デバイスとして、例えば、キーボード、テンキー、マウス、操作ボタンなどが挙げられる。表示部１５は、液晶表示装置等の表示デバイスから構成され、データ表示を行う。なお、表示部１５として、データ入力とデータ表示の両方が可能なタッチパネルを備えてもよい。
【００１４】
接続部１６は、記録媒体１７と接続する。接続部１６は、記録媒体１７を着脱可能に構成される。接続部１６は、自己に接続された記録媒体１７からデータを読み出す。また、接続部１６は、自己に接続された記録媒体１７に対してデータを書き込む。記録媒体１７として、例えば、ＳＤカード等の着脱可能なメモリカードなどが利用可能である。
【００１５】
端末装置１としては、例えば、スマートフォン等の携帯通信端末装置、タブレット型のコンピュータ（タブレットＰＣ）等の携帯型のパーソナルコンピュータなどであってもよい。
【００１６】
図３は、図２に示す制御部１１の機能構成図である。図３において、制御部１１は、ホーム画面復元部２０、記録データ記憶制御部２３、アプリケーション起動部２４、アプリケーションインストール部２５、表示制御部２６、及び削除部２７などを備える。ホーム画面復元部２０は、ホーム画面構成部２１及び記録データ取得部２２を備える。これら制御部１１の機能は、記憶部１２に記憶されているコンピュータプログラムを制御部１１のＣＰＵが実行することにより実現される。アプリケーションインストール部２５として優先度判定部２５１と、成否判定部２５２とがある。
【００１７】
図４は、図２に示す記憶部１２の記憶構成例を示す図である。図４において、記憶部１２は、ＯＳ（Operating System：オペレーティングシステム）３１と制御プログラム３２とアプリケーションプログラム３３とデータファイル３４を記憶する。ＯＳ３１と制御プログラム３２とアプリケーションプログラム３３は、制御部１１のＣＰＵで実行されるコンピュータプログラムである。アプリケーションプログラム３３として、ホーム画面復元アプリケーション３３ａ及び記録データ記憶制御アプリケーション３３ｂなどがある。また、アプリケーションプログラム３３として、例えば、ＳＮＳ（Social Networking Service）アプリケーション、電子メールアプリケーション、Ｗｅｂ（ウェブ）ブラウザアプリケーション、画像管理アプリケーション、ゲームアプリケーションなどのコンピュータプログラムが挙げられる。
【００１８】
データファイル３４は複数あってもよい。データファイル３４としては、例えば、テキストデータファイル、音声データファイル、画像（静止画像又は動画像）データファイル、個人データファイル、ＵＲＬ（Uniform Resource Locator）データファイルなどが挙げられる。
【００１９】
次に、図５等を参照して、本実施形態に係る端末装置１の動作を説明する。
【００２０】
はじめに図５を参照して、本実施形態の端末装置１のホーム画面復元に係る動作の全体の流れを説明する。図５は、本実施形態に係るホーム画面復元方法のフローチャートである。
【００２１】
（ステップＳ１）アプリケーション起動部２４が、ホーム画面復元アプリケーション３３ａを起動する。ホーム画面復元アプリケーション３３ａが起動されて制御部１１のＣＰＵにより実行されることにより、ホーム画面復元部２０の機能が実現される。アプリケーション起動部２４がホーム画面復元アプリケーション３３ａを起動するタイミングは、予め定められている。例えば、アプリケーション起動部２４は、端末装置１の初期設定が行われるタイミングで、ホーム画面復元アプリケーション３３ａを起動してもよい。端末装置１の初期設定は、利用者が端末装置１を使い始める時や端末装置１がリセットされた時などに実行される。なお、アプリケーション起動部２４は、利用者の所定の操作に応じて、ホーム画面復元アプリケーション３３ａを起動してもよい。
【００２２】
（ステップＳ２）記録データ取得部２２が、図６に例示されるホーム画面構成情報記録データ４０を取得する。
【００２３】
ここで、図６及び図７を参照してホーム画面構成情報記録データ４０を説明する。図６は、本実施形態に係るホーム画面構成情報記録データ４０の構成例を示す図表である。図７は、本実施形態に係るホーム画面構成情報記録データ４０を説明するための図である。ホーム画面構成情報記録データ４０は、端末装置１以外の他の端末装置又は端末装置１のホーム画面の画面構成情報の記録データである。
【００２４】
図７において、ホーム画面の画面構成情報が記録される端末装置は、表示画面１００を備える。表示画面１００は、例えばタッチパネルの表示画面である。ホーム画面の画面構成情報が記録される端末装置のことを、説明の便宜上、元端末装置と称する。元端末装置の表示画面１００には、ホーム画面１１０が表示される。ホーム画面１１０は、一つ又は複数の画面から構成される。ホーム画面１１０が複数の画面から構成される場合、ホーム画面１１０を構成する各画面は、画面スクロールによって、表示画面１００に表示される。ホーム画面１１０にはアイコンＧが配置される。図７の例では、ホーム画面１１０の一つの画面には最大１６個のアイコンＧが配置される。
【００２５】
元端末装置のホーム画面構成情報記録データ４０は、元端末装置の各アプリケーションのアイコンＧのホーム画面１１０における位置を示すアイコン位置情報を含む。図６において、ホーム画面構成情報記録データ４０は、アイコンＧ毎に、アイコンＧのアイコン位置情報と、アイコンＧの画像データ（アイコン画像データ）と、アイコンＧに対応付けられているアプリケーションの識別情報（アプリケーションＩＤ）と、アイコンＧに対応付けられているアプリケーションの起動回数を示す起動回数情報を有する。
【００２６】
ここで、起動回数情報とは、元端末装置が各アプリケーションをインストール後、起動した回数を示す情報である。
【００２７】
元端末装置のホーム画面構成情報記録データ４０は、自動的に又は元端末装置の利用者の所定の操作に応じて記録される。端末装置１においては、記録データ記憶制御部２３が、端末装置１のホーム画面の画面構成情報を記録する機能を有する。記録データ記憶制御部２３は、所定のタイミングで端末装置１のホーム画面の画面構成情報を記録する。例えば、記録データ記憶制御部２３は、定期的に端末装置１のホーム画面の画面構成情報を記録してもよい。なお、記録データ記憶制御部２３は、利用者の所定の操作に応じて、端末装置１のホーム画面の画面構成情報を記録してもよい。
【００２８】
端末装置１は、元端末装置のホーム画面の画面構成情報が記録されたホーム画面構成情報記録データ４０を取得する。元端末装置は、例えば、端末装置１の利用者が以前に使用していた端末装置である。端末装置１の利用者が以前に使用していた端末装置として、例えば、利用者が端末装置１に機種変更するまで使用していた機種変更前の端末装置が挙げられる。又は、元端末装置は、端末装置１の利用者以外の他者が使用している若しくは使用していた端末装置である。端末装置１の利用者以外の他者として、例えば、端末装置１の利用者の家族や友人などが挙げられる。又は、元端末装置は、利用者が使用している端末装置１である。
【００２９】
元端末装置のホーム画面構成情報記録データ４０は、利用者情報管理サーバ３に格納されたり、又は、記録媒体１７に格納されたりする。利用者情報管理サーバ３は、利用者識別情報（利用者ＩＤ）に関連付けてホーム画面構成情報記録データ４０を格納する。端末装置１の記録データ取得部２２は、利用者情報管理サーバ３からホーム画面構成情報記録データ４０を取得する場合、利用者情報管理サーバ３へ利用者ＩＤを送信し、該利用者ＩＤに関連付けられているホーム画面構成情報記録データ４０を利用者情報管理サーバ３から受信する。記録データ取得部２２が利用者情報管理サーバ３へ送信する利用者ＩＤは、予め、端末装置１に設定されている。又は、記録データ取得部２２が利用者情報管理サーバ３へ送信する利用者ＩＤは、ホーム画面構成情報記録データ４０を取得する際に、利用者が入力してもよい。
【００３０】
また、記録データ取得部２２は、端末装置１の接続部１６に接続された記録媒体１７からホーム画面構成情報記録データ４０を取得する場合、接続部１６により該記録媒体１７からホーム画面構成情報記録データ４０を読み出す。
【００３１】
説明を図５に戻す。
（ステップＳ３）ホーム画面構成部２１は、記録データ取得部２２が取得したホーム画面構成情報記録データ４０を使用して、端末装置１のホーム画面を構成する。
【００３２】
（ステップＳ４）端末装置１の表示部１５は、ホーム画面構成部２１が構成したホーム画面を自己の表示画面に表示する。
【００３３】
次に図８を参照して、上記の図５のステップＳ３のホーム画面構成方法を説明する。図８は、本実施形態に係るホーム画面構成方法のフローチャートである。本ホーム画面構成方法の説明において、ホーム画面構成情報記録データ４０とは、上記の図５のステップＳ２で記録データ取得部２２が取得したホーム画面構成情報記録データ４０のことである。
【００３４】
（ステップＳ１１）ホーム画面構成部２１は、ホーム画面構成情報記録データ４０に含まれるアプリケーションＩＤの中に、端末装置１＿未インストールアプリケーション＿アプリケーションＩＤが有るかを判断する。端末装置１＿未インストールアプリケーションとは、端末装置１にインストールされていないアプリケーションのことである。端末装置１＿未インストールアプリケーション＿アプリケーションＩＤとは、端末装置１＿未インストールアプリケーションのアプリケーションＩＤのことである。
【００３５】
本実施形態では、記憶部１２に格納されるデータファイル３４として、図９に例示されるインストール済みアプリケーション情報ファイル３４ａを備える。インストール済みアプリケーション情報ファイル３４ａは、端末装置１＿インストール済みアプリケーション＿アプリケーションＩＤの全ての一覧の情報を有する。端末装置１＿インストール済みアプリケーションとは、端末装置１にインストールされているアプリケーションのことである。端末装置１＿インストール済みアプリケーション＿アプリケーションＩＤとは、端末装置１＿インストール済みアプリケーションのアプリケーションＩＤのことである。
【００３６】
アプリケーション起動部２４は、端末装置１＿インストール済みアプリケーションのアイコンが指定されたことを示すアイコン指定信号に基づいて、該アイコン指定信号で示される指定されたアイコンに対応する端末装置１＿インストール済みアプリケーションを起動する。アプリケーション起動部２４は、アイコン指定信号で示される指定されたアイコンのアプリケーションＩＤがインストール済みアプリケーション情報ファイル３４ａに含まれる場合に、当該アプリケーションＩＤの端末装置１＿インストール済みアプリケーションを起動する。端末装置１＿インストール済みアプリケーションのアイコンが指定されたことを示すアイコン指定信号は、利用者が該アイコンを指定する操作に応じて発生される。又は、端末装置１＿インストール済みアプリケーションのアイコンが指定されたことを示すアイコン指定信号は、端末装置１内部で自動的に発生されてもよい。
【００３７】
ホーム画面構成部２１は、ホーム画面構成情報記録データ４０に含まれるアプリケーションＩＤと、インストール済みアプリケーション情報ファイル３４ａに含まれるアプリケーションＩＤを比較する。ホーム画面構成部２１は、該比較の結果、ホーム画面構成情報記録データ４０の中に存在し且つインストール済みアプリケーション情報ファイル３４ａの中に存在しないアプリケーションＩＤが有る場合に、ホーム画面構成情報記録データ４０に含まれるアプリケーションＩＤの中に端末装置１＿未インストールアプリケーション＿アプリケーションＩＤが有ると判断する。
【００３８】
本実施形態では、記憶部１２に格納されるデータファイル３４として、図１１に例示される差分情報ファイル３４ｂを備える。図１１は、本発明の一実施形態に係る差分情報ファイル３４ｂの構成例を示す図である。差分情報ファイル３４ｂは、端末装置１＿未インストールアプリケーション＿アプリケーションＩＤと、供給可否情報と、優先度とを格納する。
【００３９】
ここで、供給可否情報とは、アプリケーションの供給が可能か否かを示す情報である。供給可否情報は、アプリケーションの供給が可能であること、又はアプリケーションの供給が不可能であることを示す。
【００４０】
ここで、優先度とは、対象未インストールアプリケーションのインストール処理を実行する優先度である。
【００４１】
ホーム画面構成部２１は、ホーム画面構成情報記録データ４０に含まれるアプリケーションＩＤの中に端末装置１＿未インストールアプリケーション＿アプリケーションＩＤが有ると判断した場合、該端末装置１＿未インストールアプリケーション＿アプリケーションＩＤを差分情報ファイル３４ｂに追加する。供給可否情報と、優先度との追加については後述する。
【００４２】
（ステップＳ１２）ステップＳ１１の判断の結果、差分情報ファイル３４ｂの中に、端末装置１＿未インストールアプリケーション＿アプリケーションＩＤが有る場合には、ステップＳ１３に進む。一方、ステップＳ１１の判断の結果、ホーム画面構成情報記録データ４０に含まれるアプリケーションＩＤの中に、端末装置１＿未インストールアプリケーション＿アプリケーションＩＤが無い場合には、ステップＳ１４に進む。
【００４３】
（ステップＳ１３）ホーム画面構成部２１は、ホーム画面構成情報記録データ４０の中に存在し且つインストール済みアプリケーション情報ファイル３４ａの中に存在しないアプリケーションＩＤに対応する端末装置１＿未インストールアプリケーションの対処を行う。
【００４４】
［ステップＳ１３の対処方法の詳細］
ステップＳ１３では、端末装置１＿未インストールアプリケーションが第１アプリケーション提供サーバ４、又は第２アプリケーション提供サーバ５から供給が可能かの問い合わせを行う。また、ステップＳ１３では、端末装置１＿未インストールアプリケーションが供給可能である場合、アプリケーションを優先度に基づいてインストールを行う。また、ステップＳ１３では、第１アプリケーション提供サーバ４、及び第２アプリケーション提供サーバ５からの供給が不可能である端末装置１＿未インストールアプリケーションを抽出する。
【００４５】
この対処方法の詳細の説明において、対象アプリケーションＩＤとは、ホーム画面構成情報記録データ４０の中に存在し且つインストール済みアプリケーション情報ファイル３４ａの中に存在しないアプリケーションＩＤのことである。また、対象未インストールアプリケーションとは、対象アプリケーションＩＤに対応する端末装置１＿未インストールアプリケーションのことである。
【００４６】
以下、図１０を参照してステップＳ１３の対処方法の詳細について説明する。図１０は、本発明の一実施形態に係る未インストールアプリケーションの対処方法のフローチャートである。
【００４７】
（ステップＳ１００）ホーム画面構成部２１は、差分情報ファイル３４ｂに含まれる対象未インストールアプリケーションの供給が可能か否かの問合せを第１アプリケーション提供サーバ４へ送信する。
【００４８】
ホーム画面構成部２１は、第１アプリケーション提供サーバ４から差分情報ファイル３４ｂに含まれる対象未インストールアプリケーションの供給可否情報を受信する。ホーム画面構成部２１は、受信した供給可否情報を差分情報ファイル３４ｂに追加する。
【００４９】
（ステップＳ１２０）成否判定部２５２は、ホーム画面構成部２１が受信した象未インストールアプリケーションの供給可否情報に供給不可能であることを示す情報が含まれるか否かを判定する。成否判定部２５２が、ホーム画面構成部２１が受信した対象未インストールアプリケーションの供給可否情報に供給不可能であることを示す情報が含まれると判定する場合には、ステップＳ１３０に進む。一方、成否判定部２５２が、供給可否情報に供給不可能であることを示す情報が含まれないと判定する場合には、ステップＳ１３５に進む。
【００５０】
（ステップＳ１３０）ホーム画面構成部２１は、差分情報ファイル３４ｂに含まれる対象未インストールアプリケーションのうち、第１アプリケーション提供サーバ４からの供給が不可能である対象未インストールアプリケーションを抽出する。ホーム画面構成部２１は、抽出した第１アプリケーション提供サーバ４からの供給が不可能である対象未インストールアプリケーションについて供給が可能か否かの問い合わせを第２アプリケーション提供サーバ５へ送信する。
【００５１】
ホーム画面構成部２１は、第２アプリケーション提供サーバ５から差分情報ファイル３４ｂに含まれる対象未インストールアプリケーションの供給可否情報を受信する。ホーム画面構成部２１は、受信した供給可否情報を差分情報ファイル３４ｂに追加する。
【００５２】
（ステップＳ１３５）ホーム画面構成部２１は、上述のステップＳ１００、及びステップＳ１３０において受信した供給可否情報を差分情報ファイル３４ｂに追加する。これにより、図１１に例示される各アプリケーションＩＤの供給可否情報に可能、又は不可能の情報が追加される。
【００５３】
（ステップＳ１４０）優先度判定部２５１は、差分情報ファイル３４ｂに含まれる対象未インストールアプリケーションの起動回数情報に基づいて優先度を判定する。優先度判定部２５１は、差分情報ファイル３４ｂに含まれる起動回数情報が所定の閾値より多い対象未インストールアプリケーションをインストール処理の優先度が高いと判定する。
【００５４】
ここで、本実施形態では所定の閾値が５０００である場合について説明する。上述のステップＳ１４０により、図１１に例示される差分情報ファイル３４ｂの各優先度が追加される。
【００５５】
（ステップＳ１５０）アプリケーションインストール部２５は、差分情報ファイル３４ｂに含まれる対象未インストールアプリケーションのうち、供給可否情報が供給可能である対象未インストールアプリケーションであって、かつ優先度が高いアプリケーションからインストール処理を実行する。その後、アプリケーションインストール部２５は、差分情報ファイル３４ｂに含まれる対象未インストールアプリケーションのうち、供給可否情報が供給可能である対象未インストールアプリケーションであって、かつ優先度が低いアプリケーションについてもインストール処理を実行する。
【００５６】
（ステップＳ１６０）アプリケーションインストール部２５は、該インストール処理の完了後に、インストール済みアプリケーション情報ファイル３４ａに対して、該対象未インストールアプリケーションのアプリケーションＩＤ（対象アプリケーションＩＤ）を追加する。
【００５７】
また、ホーム画面構成部２１は、差分情報ファイル３４ｂから該対象未インストールアプリケーションのアプリケーションＩＤ（対象アプリケーションＩＤ）を削除する。
ホーム画面構成部２１は、ステップＳ１００からステップＳ１６０を行うことにより、供給可否情報に基づいてインストール済みアプリケーション情報ファイル３４ａと、差分情報ファイル３４ｂとを更新する。
【００５８】
以上がステップＳ１３の対処方法の例の説明である。
【００５９】
なお、上述の対処方法は、端末装置１によって自動で行われてもよく、利用者の端末装置１の操作に応じて行われてもよい。例えば、第１アプリケーション提供サーバ４、又は第２アプリケーション提供サーバ５から受信した供給可否情報が対象未インストールアプリケーションの供給可能を示す場合には、該対象未インストールアプリケーションを自動で取得してもよい。一方、第１アプリケーション提供サーバ４、又は第２アプリケーション提供サーバ５から受信した供給可否情報が対象未インストールアプリケーションの供給可能を示す場合には、利用者の操作に応じて該対象未インストールアプリケーションの取得を実行してもよい。
【００６０】
なお、上述の対処法は、無線通信ネットワーク２には、第１アプリケーション提供サーバ４と、第２アプリケーション提供サーバ５とが接続される場合について説明したが、これに限られない。無線通信ネットワーク２には、第１アプリケーション提供サーバ４のみが接続されていてもよく、この場合には、ホーム画面構成部２１は、ステップＳ１２０を実行せず、処理をステップＳ１３５へ進めてもよい。
【００６１】
ステップＳ１３の対処方法を実行することにより、差分情報ファイル３４ｂには、第１アプリケーション提供サーバ４、及び第２アプリケーション提供サーバ５からアプリケーションの供給が不可能である該対象未インストールアプリケーションのアプリケーションＩＤ（対象アプリケーションＩＤ）が含まれる。供給可否情報のうち、アプリケーションの供給が不可能であることを示す情報の例を以下に示す。
【００６２】
（供給否情報の例１）
供給否情報の例１は、第１アプリケーション提供サーバ４、及び第２アプリケーション提供サーバ５が当該アプリケーションを提供していないために、供給できないことを示す。
【００６３】
（供給否情報の例２）
供給否情報の例２は、問合せ元の端末装置１では当該アプリケーションが技術的に動作しないために、供給できないことを示す。アプリケーションが技術的に動作しないことの例として、端末装置１のハードウェアのスペックが当該アプリケーションに適合しないことが挙げられる。
【００６４】
（供給否情報の例３）
供給否情報の例３は、問合せ元の端末装置１では、当該アプリケーションが技術的には動作するが、当該アプリケーションの供給が制限されているために、供給できないことを示す。アプリケーションの供給が制限されていることの例として、あるＯＳに対しては当該アプリケーションの供給が許可されているが、該ＯＳとは異なる他のＯＳに対しては当該アプリケーションの供給が許可されていないことが挙げられる。アプリケーションの供給が制限されていることの他の例として、当該アプリケーションの使用には使用権が必要であり、問合せ元の端末装置１又は利用者が当該アプリケーションの使用権を有していないことが挙げられる。アプリケーションの使用権として、例えば、アプリケーションの使用料の前払い又は後払いの契約完了により付与される使用権が挙げられる。
【００６５】
（供給否情報の例４）
供給可否情報の例４は、問合せ元の端末装置１では当該アプリケーションが動作しないように、当該アプリケーションに対して制限がされているために、供給できないことを示す。この例として、特定のメーカの製品のみで動作するように、アプリケーションに対して制限がされていることが挙げられる。例えば、Ａ社製の端末装置では動作するが、Ａ社以外の他社製の端末装置では動作しないことが挙げられる。
【００６６】
以上が供給否情報の例の説明である。
説明を図８に戻す。
【００６７】
（ステップＳ１４）ホーム画面構成部２１は、アイコンを配置したホーム画面を構成する。このホーム画面の構成では、ホーム画面構成部２１は、ホーム画面構成情報記録データ４０に含まれる各アプリケーションのアイコンのアイコン位置情報に基づいて、各アプリケーションのアイコンを該アイコン位置情報で示される位置に配置したホーム画面を構成する。以下に、ホーム画面構成方法の例を説明する。
【００６８】
（ホーム画面構成方法の例１）
ホーム画面構成部２１は、ホーム画面構成情報記録データ４０に含まれる各アプリケーションのアイコンのアイコン位置情報に基づいて、端末装置１＿未インストールアプリケーションのアイコンを、当該端末装置１＿未インストールアプリケーションに対応付けられている該アイコン位置情報で示される位置に配置したホーム画面を構成する。
【００６９】
端末装置１＿未インストールアプリケーションは端末装置１にインストールされていないので、同じアプリケーションが元端末装置にインストールされていて該アプリケーションのアイコンが元端末装置のホーム画面１１０に配置されていても、従来は該アプリケーションのアイコンを配置したホーム画面を復元することができなかった。しかし、本ホーム画面構成方法の例１によれば、元端末装置のホーム画面１１０に配置されていた端末装置１＿未インストールアプリケーションのアイコンを配置したホーム画面を、端末装置１で復元することができる。
【００７０】
なお、ホーム画面構成部２１は、端末装置１＿インストール済みアプリケーションのアイコンと、端末装置１＿未インストールアプリケーションのアイコンとで異なる表示方法にしてもよい。また、ホーム画面構成部２１は、端末装置１＿未インストールアプリケーションのうち、端末装置１に対してインストールが制限されていないアプリケーションと制限されているアプリケーションとで、アイコンの表示方法を異なるようにしてもよい。インストールが制限されているアプリケーションは、上述の供給否情報の例２、例３、及び例４に相当するアプリケーションである。以下、アイコン表示方法の例を説明する。
【００７１】
例えば、アイコンの表示態様を異なるようにしてもよい。アイコンの表示態様には、アイコンの画像の透過度、アイコンの画像の形状、及び、アイコンの画像の色が含まれる。例えば、端末装置１＿インストール済みアプリケーションのアイコンと、端末装置１＿未インストールアプリケーションのアイコンとで、アイコンの画像の透過度を変えてもよい。例えば、端末装置１＿インストール済みアプリケーションのアイコンの画像の透過度よりも、端末装置１＿未インストールアプリケーションのアイコンの画像の透過度を高くしてもよい。例えば、端末装置１＿インストール済みアプリケーションのアイコンの画像の透過度を０（透過なし）とし、端末装置１＿未インストールアプリケーションのアイコンの画像の透過度をそれよりも高い値例えば５０％にしてもよい。透過度が高いアイコンは見え難くなるので、利用者に対して、該アイコンのアプリケーションが端末装置１＿未インストールアプリケーションであることを認識し易くできる。
【００７２】
さらに、端末装置１＿未インストールアプリケーションのうち、端末装置１に対してインストールが制限されていないアプリケーションのアイコンと制限されているアプリケーションのアイコンとで、アイコンの画像の透過度を変えてもよい。例えば、端末装置１＿未インストールアプリケーションのうち、端末装置１に対してインストールが制限されていないアプリケーションのアイコンの画像の透過度よりも、制限されているアプリケーションのアイコンの画像の透過度を高くしてもよい。例えば、端末装置１＿インストール済みアプリケーションのアイコンの画像の透過度を０（透過なし）とし、端末装置１＿未インストールアプリケーションのうち、端末装置１に対してインストールが制限されていないアプリケーションのアイコンの画像の透過度をそれよりも高い値例えば５０％にし、制限されているアプリケーションのアイコンの画像の透過度をそれよりもさらに高い値例えば７５％にしてもよい。透過度が高いアイコンは見え難くなるので、利用者に対して、該アイコンのアプリケーションが端末装置１＿未インストールアプリケーションであること、さらにはインストールが制限されているアプリケーションであることを認識し易くできる。
【００７３】
また、端末装置１＿未インストールアプリケーションの種類に基づいて、アイコンの表示態様を変更してもよい。例えば、端末装置１に対してインストールが制限されているアプリケーションのうち、アプリケーションの使用権を取得すれば該制限が解除されるアプリケーションについては、アイコンの画像の透過度を高くする対象から除外してもよい。又は、アプリケーションの使用権を取得すれば該制限が解除されるアプリケーションについては、他の制限されているアプリケーションよりもアイコンの画像の透過度を低くしてもよい。アイコンの画像の透過度が低いアイコンは見え易くなるので、利用者に対して、該アイコンのアプリケーションが端末装置１＿未インストールアプリケーションであること、さらにはアプリケーションの使用権を取得すれば該制限が解除されるアプリケーションであることを認識し易くできる。
【００７４】
例えば、端末装置１＿未インストールアプリケーションのうち、重要なアプリケーションについては、アイコンの画像の透過度を高くする対象から除外してもよい。又は、端末装置１＿未インストールアプリケーションのうち、重要なアプリケーションについては目立つように、他のアプリケーションとは、アイコンの画像の形状、又は、アイコンの画像の色を変更してもよい。例えば、端末装置１＿未インストールアプリケーションのうち、重要なアプリケーションについては、アイコンの画像の透過度を例えば０（透過なし）とし、さらにはアイコンの画像の形状、又は、アイコンの画像の色を目立つ様に他のアイコンとは変更してもよい。重要なアプリケーションに対するそれらのアイコンの表示態様によれば、利用者に対して、該アイコンのアプリケーションが端末装置１＿未インストールアプリケーションであって重要なアプリケーションであることを認識し易くできる。重要なアプリケーションとして、例えば、災害時等に使用される緊急性の高いアプリケーションが挙げられる。
【００７５】
また、表示制御部２６は、端末装置１＿未インストールアプリケーションのアイコンがホーム画面に表示されてからの時間経過に基づいて、アイコンの表示態様を変更してもよい。例えば、端末装置１＿未インストールアプリケーションのアイコンの画像の透過度を、該アイコンがホーム画面に配置されてからの時間経過に伴って段階的に高くしたり又は低くしたりしてもよい。
【００７６】
例えば、端末装置１＿未インストールアプリケーションのうち、重要なアプリケーションについては、アイコンがホーム画面に配置されてから一定の時間が経過したら、該アイコンが目立つ様にアイコンの表示態様を変更してもよい。例えば、端末装置１＿未インストールアプリケーションのうち重要なアプリケーションのアイコンがホーム画面に配置されてから一定の時間が経過したら、該アイコンの画像の透過度をより低い値例えば０（透過なし）に変更してもよい。さらにはアイコンの画像の形状、又は、アイコンの画像の色を目立つ様に変更してもよい。
【００７７】
また、表示制御部２６は、端末装置１＿未インストールアプリケーションの優先度に基づいて、アイコンの表示態様を変更してもよい。例えば、端末装置１＿未インストールアプリケーションのアイコンの画像の透過度を、該アイコンの優先度に基づいて高くしたり又は低くしたりしてもよい。
【００７８】
例えば、端末装置１＿未インストールアプリケーションのうち、優先度の高いアプリケーションについては、該アイコンが目立つ様にアイコンの表示態様を変更してもよい。例えば、端末装置１＿未インストールアプリケーションのうち優先度の高いアプリケーションのアイコンを、該アイコンの画像の透過度を例えば０（透過なし）とし、端末装置１＿未インストールアプリケーションのうち優先度の低いアプリケーションのアイコンの画像の透過度をそれよりも高い値例えば５０％にしてもよい。さらには、端末装置１＿未インストールアプリケーションのうち優先度の高いアプリケーションのアイコンの画像の形状、又は、アイコンの画像の色を目立つ様に変更してもよい。また、端末装置１＿未インストールアプリケーションのうち優先度の低いアプリケーションのアイコンの画像の形状、又は、アイコンの画像の色を目立たない様に変更してもよい。
【００７９】
透過度が低いアイコンは見え易くなるので、利用者に対して、優先度の高い該アイコンのアプリケーションが端末装置１＿未インストールアプリケーションであることを認識し易くできる。また、透過度が高いアイコンは見え難くなるので、利用者に対して優先度の低い該アイコンのアプリケーションを認識する手間を低減することができる。
【００８０】
例えば、端末装置１＿未インストールアプリケーションのうち、重要なアプリケーションについては、優先度に関わらずアイコンの画像の透過度を高くする対象から除外してもよい。端末装置１＿未インストールアプリケーションのうち、重要なアプリケーションについては、優先度が低い場合であっても、アイコンの画像の透過度を例えば０（透過なし）としてもよい。
透過度が低いアイコンは見え易くなるので、利用者に対して、重要なアプリケーションが端末装置１＿未インストールアプリケーションであることを認識し易くできる。
【００８１】
例えば、端末装置１＿未インストールアプリケーションのうち、重要なアプリケーションについては、優先度に関わらず、他のアプリケーションより目立つように、他のアプリケーションとは、アイコンの画像の形状、又は、アイコンの画像の色を変更してもよい。
重要なアプリケーションに対するそれらのアイコンの表示態様によれば、利用者に対して、該アイコンのアプリケーションが端末装置１＿未インストールアプリケーションであって重要なアプリケーションであることを認識し易くできる。重要なアプリケーションとして、例えば、災害時等に使用される緊急性の高いアプリケーションが挙げられる。
【００８２】
以上がホーム画面構成方法の例１の説明である。
【００８３】
（ホーム画面構成方法の例２）
ホーム画面構成部２１は、ホーム画面構成情報記録データ４０にアイコン位置情報が存在するアイコンであって端末装置１で起動することが制限されたアプリケーションのアイコンである第１のアイコンと端末装置１＿インストール済みアプリケーションのアイコンであってホーム画面構成情報記録データ４０にアイコン位置情報が存在しないアイコンである第２のアイコンを対応付けた第３のアイコンをさらに配置したホーム画面を構成する。
【００８４】
差分情報ファイル３４ｂにおいて供給可否情報が供給不可能であることを示す端末装置１＿未インストールアプリケーション＿アプリケーションＩＤに対応する端末装置１＿未インストールアプリケーションは、端末装置１で起動することが制限されたアプリケーションである。ホーム画面構成部２１は、差分情報ファイル３４ｂにおいて供給可否情報が供給不可能であることを示す端末装置１＿未インストールアプリケーション＿アプリケーションＩＤのアイコンを、第１のアイコンであると判断する。
以下、差分情報ファイル３４ｂにおいて供給可否情報が供給不可能を示す情報であるアイコンを第１のアイコンとも記載する。
【００８５】
ホーム画面構成部２１は、インストール済みアプリケーション情報ファイル３４ａに含まれる端末装置１＿インストール済みアプリケーション＿アプリケーションＩＤのうち、ホーム画面構成情報記録データ４０にアイコン位置情報が存在しないアプリケーションＩＤのアイコンを、第２のアイコンであると判断する。
【００８６】
本実施形態では、第３のアイコンの例として、フォルダのアイコンを使用する。ここでは、説明の便宜上、第３のアイコンが示すフォルダの名称を「その他フォルダ」とする。ホーム画面構成部２１は、第２のアイコンをその他フォルダのアイコンに対応付ける。例えば、第２のアイコンは、その他フォルダに格納されてもよい。ホーム画面構成部２１は、その他フォルダのアイコンをホーム画面に配置する。第２のアイコンがその他フォルダに格納された場合、表示制御部２６は、その他フォルダのアイコンが指定されたことを示すアイコン指定信号に基づいて、その他フォルダに格納されている第２のアイコンを、表示部１５の表示画面に表示させる。
【００８７】
以上がホーム画面構成方法の例２の説明である。
【００８８】
（ステップＳ１５）削除部２７は、ステップＳ１４の（ホーム画面構成方法の例１）、又は（ホーム画面構成方法の例２）において、ホーム画面構成部２１によって配置されたアイコンのうち、第１のアイコンをホーム画面から削除する。以下に、第１のアイコンの削除例を説明する。
【００８９】
（第１のアイコンの削除方法の例１；削除フォルダに格納）
削除部２７は、差分情報ファイル３４ｂにおいて、供給可否情報が供給不可能であることを示す端末装置１＿未インストールアプリケーション＿アプリケーションＩＤの第１のアイコンを、第４のアイコンに格納する。
【００９０】
本実施形態では、第４のアイコンの例として、フォルダのアイコンを使用する。ここでは、説明の便宜上、第４のアイコンが示すフォルダの名称を「削除フォルダ」とする。ホーム画面構成部２１は、第１のアイコンを削除フォルダのアイコンに対応付ける。例えば、第１のアイコンが削除フォルダに格納されてもよい。ホーム画面構成部２１は、その他フォルダのアイコンをホーム画面に配置する。第１のアイコンが削除フォルダに格納された場合、表示制御部２６は、削除フォルダのアイコンが指定されたことを示すアイコン指定信号に基づいて、削除フォルダに格納されている第１のアイコンを、表示部１５の表示画面に表示させる。
【００９１】
以上が第１のアイコンの削除方法の例１の説明である。
【００９２】
（第１のアイコンの削除方法の例２；一括削除）
表示制御部２６は、差分情報ファイル３４ｂにおいて、供給可否情報が供給不可能であることを示す端末装置１＿未インストールアプリケーション＿アプリケーションＩＤの第１のアイコンを、一括で削除するか否かを利用者が選択操作する画面を表示画面に表示する。利用者が表示画面に表示された画面に基づいて、第１のアイコンを一括で削除する選択をした場合、削除部２７は、利用者の操作に応じて、第１のアイコンと、第１のアイコンを格納する削除フォルダとを合わせて削除する。
【００９３】
以上が第１のアイコンの削除方法の例２の説明である。
【００９４】
［ステップＳ１５の削除方法の詳細］
ステップＳ１５では、上述の削除方法の例１、又は削除方法の例２によってホーム画面から削除する。
【００９５】
以下、図１２を参照してステップＳ１５の削除方法の詳細について説明する。図１２は、本発明の一実施形態に係る未インストールアプリケーションの削除方法のフローチャートである。
【００９６】
（ステップＳ５００）削除部２７は、表示画面に第１のアイコンが存在するか否かを判断する。
【００９７】
（ステップＳ５１０）削除部２７の判断の結果、表示画面に第１のアイコンが存在する場合には、ステップＳ５２０に進む。一方、表示画面に第１のアイコンが存在しない場合には、ステップＳ１５の処理を終了する。
【００９８】
（ステップＳ５２０）表示制御部２６は、表示画面にエラーメッセージを出力する。エラーメッセージには、第１アプリケーション提供サーバ４、及び第２アプリケーション提供サーバ５から取得できないアプリケーションが存在することを利用者に通知する内容が含まれる。また、表示制御部２６は、表示画面に第１のアイコンを削除する方法を選択する画面を出力する。この選択には、上述の削除方法の例１の選択肢と、削除方法の例２選択肢と、削除しない選択肢とを通知する内容が含まれる。
【００９９】
（ステップＳ５３０）利用者は、表示画面に出力された第１のアイコンを削除する方法を選択する画面に基づいて削除方法を選択し、操作部１４に入力する。操作部１４は、利用者が選択した削除方法を示す情報を取得する。
【０１００】
（ステップＳ５５０）上述のステップＳ５３０において操作部１４が取得した削除方法を示す情報が、削除方法の例１である第１のアイコンを一括で削除フォルダへ格納することを示す場合には、ステップＳ５６０に進む。一方、削除方法を示す情報が、削除方法の例２である第１のアイコンを一括削除することを示す場合には、ステップＳ５７０に進む。
【０１０１】
（ステップＳ５６０）削除部２７は、第１のアイコンを、削除フォルダに格納する。
【０１０２】
（ステップＳ５７０）削除部２７は、第１のアイコンと、削除フォルダとを削除する。
【０１０３】
図１３は、従来の技術に係るホーム画面の復元の例の説明図である。図１３において、端末装置１の表示部１５は表示画面２００を備える。表示画面２００は、例えばタッチパネルの表示画面である。表示画面２００には、ホーム画面２１０が表示される。ホーム画面２１０は、一つ又は複数の画面から構成される。ホーム画面２１０が複数の画面から構成される場合、ホーム画面２１０を構成する各画面は、画面スクロールによって、表示画面２００に表示される。ホーム画面２１０にはアイコンＧが配置される。なお、図１３中のアイコンＧの中には、説明の便宜上、該アイコンＧのアプリケーションのアプリケーションＩＤを記している。
【０１０４】
元端末装置のホーム画面構成情報記録データ４０が記録され、該ホーム画面構成情報記録データ４０が端末装置１に取得された。該ホーム画面構成情報記録データ４０は、図１３に示される元端末装置のホーム画面１１０の画面構成情報の記録データである。図１３に示される元端末装置のホーム画面１１０には、１１個のアイコンＧが配置されている。該１１個のアイコンＧのアプリケーションＩＤは、ＩＤ＿１〜１１である。
【０１０５】
端末装置１は、取得したホーム画面構成情報記録データ４０に基づいて、ホーム画面２１０を構成する。この結果として、図１３に示されるホーム画面２１０が構成された。元端末装置のホーム画面１１０に配置されていたＩＤ＿１、ＩＤ＿２、ＩＤ＿３、ＩＤ＿４、ＩＤ＿５、ＩＤ＿６、及びＩＤ＿９のアイコンＧのアプリケーションは、ホーム画面構成情報記録データ４０に基づいたホーム画面２１０の構成前に既に端末装置１にインストールされていたアプリケーションである。
【０１０６】
端末装置１＿インストール済みアプリケーションのうちＩＤ＿１２、ＩＤ＿１３、ＩＤ＿１４、およびＩＤ＿１５のアプリケーションは、ホーム画面構成情報記録データ４０の中にアイコン位置情報が無かった。このため、ＩＤ＿１２、ＩＤ＿１３、ＩＤ＿１４、およびＩＤ＿１５のアイコンＧはその他フォルダに格納された。図１３に示すホーム画面２１０には、その他フォルダのアイコンＧが配置された。
【０１０７】
元端末装置のホーム画面１１０に配置されていたＩＤ＿７、ＩＤ＿８、ＩＤ＿１０、及びＩＤ＿１１のアイコンＧのアプリケーションは、ホーム画面構成情報記録データ４０に基づいたホーム画面２１０の構成時において、端末装置１にインストールされていない端末装置１＿未インストールアプリケーションであった。また、ＩＤ＿７、ＩＤ＿８、ＩＤ＿１０、及びＩＤ＿１１のアイコンＧのアプリケーションは、第１アプリケーション提供サーバ４、及び第２アプリケーション提供サーバ５から取得できない端末装置１＿未インストールアプリケーションであった。
【０１０８】
このため、端末装置１は、ＩＤ＿７、ＩＤ＿８、ＩＤ＿１０、及びＩＤ＿１１のアプリケーションの取得を試みた。この結果、端末装置１は、ＩＤ＿ＩＤ＿７、ＩＤ＿８、ＩＤ＿１０、及びＩＤ＿１１のアプリケーションを第１アプリケーション提供サーバ４、及び第２アプリケーション提供サーバ５から取得できなかった。これにより、図１３に示す従来の技術では、ホーム画面２１０において、ＩＤ＿７、ＩＤ＿８、ＩＤ＿１０、及びＩＤ＿１１のアイコンＧが、元端末装置のホーム画面１１０における位置に対応する位置に、画像の透過度が５０％で配置された。つまり、従来の技術によるホーム画面２１０には、第１のアイコンであるＩＤ＿７、ＩＤ＿８、ＩＤ＿１０、及びＩＤ＿１１が配置される。
【０１０９】
図１４は、本発明の一実施形態に係る第１のアイコンの削除の例の説明図である。図１４（ａ）は、上述の削除方法の例１である第１のアイコンを一括で削除フォルダへ格納することを示す図である。また、図１４（ｂ）は、上述の削除方法の例２である第１のアイコンを一括削除することを示す図である。
【０１１０】
図１３における各アイコンＧと、図１４における各アイコンＧとは同一の符号を付してその説明を省略する。
【０１１１】
図１４（ａ）において、端末装置１の表示部１５は表示画面２００を備える。表示画面２００は、例えばタッチパネルの表示画面である。表示画面２００には、ホーム画面２２０が表示される。端末装置１は、取得したホーム画面構成情報記録データ４０に基づいて、ホーム画面２２０を構成する。
【０１１２】
元端末装置のホーム画面１１０に配置されていたＩＤ＿７、ＩＤ＿８、ＩＤ＿１０、及びＩＤ＿１１のアイコンＧのアプリケーションは、上述の削除方法の例１に基づいて、削除フォルダに格納された。図１４に示すホーム画面２２０には、削除フォルダのアイコンＧが配置された。
【０１１３】
図１４（ｂ）において、端末装置１の表示部１５は表示画面２００を備える。表示画面２００は、例えばタッチパネルの表示画面である。表示画面２００には、ホーム画面２３０が表示される。端末装置１は、取得したホーム画面構成情報記録データ４０に基づいて、ホーム画面２３０を構成する。
【０１１４】
元端末装置のホーム画面１１０に配置されていたＩＤ＿７、ＩＤ＿８、ＩＤ＿１０、及びＩＤ＿１１のアイコンＧは、上述の削除方法の例２に基づいて、一括で削除された。そのため、図１４（ｂ）に示すホーム画面２３０には、ＩＤ＿７、ＩＤ＿８、ＩＤ＿１０、及びＩＤ＿１１のアイコンＧの配置がされない。
【０１１５】
上述した実施形態によれば、元端末装置のホーム画面１１０と見た目に類似するホーム画面２１０を端末装置１で復元した際に、取得することが不可能なアプリケーションのアイコンを一括でホーム画面から削除することができる。これにより、端末装置１に表示されるホーム画面を復元した際に、取得することが不可能なアプリケーションのアイコンを削除する手間を低減する効果が得られる。
【０１１６】
また、優先度判定部２５１は、ホーム画面構成情報記録データ４０に含まれる対象未インストールアプリケーションの起動回数情報に基づいて優先度が判定されたが、異なる方法で判定してもよい。例えば、ホーム画面構成情報記録データ４０には、起動回数情報に代わって対象未インストールアプリケーションの起動時間を示す起動時間情報が含まれていてもよい。また、優先度判定部２５１は、ホーム画面構成情報記録データ４０に含まれる対象未インストールアプリケーションの起動時間が所定の閾値より長い場合に、優先度が高いと判定してもよい。
【０１１７】
また、ホーム画面構成情報記録データ４０には、対象未インストールアプリケーションの使用状態に関する情報が含まれていてもよい。使用状態に関する情報とは、例えば、アプリケーション内の情報が閲覧されたか否かを示す閲覧状態情報である。閲覧状態情報が閲覧されたことを示す場合、アプリケーション内の情報が既読であることを示す。また、閲覧状態情報が閲覧されていないことを示す場合、アプリケーション内の情報が未読であることを示す。
すなわち、ホーム画面構成情報記録データ４０には、対象未インストールアプリケーションの閲覧状態情報が含まれていてもよい。また、優先度判定部２５１は、ホーム画面構成情報記録データ４０に含まれる対象未インストールアプリケーションの閲覧状態情報に基づいて、優先度を判定してもよい。例えば、優先度判定部２５１は、ホーム画面構成情報記録データ４０に含まれる対象未インストールアプリケーションの閲覧状態情報が閲覧されていないことを示す場合、優先度が高いと判定してもよい。
【０１１８】
また、ホーム画面構成情報記録データ４０には、対象未インストールアプリケーションの更新に関する情報が含まれていてもよい。更新に関する情報とは、例えば、対象未インストールアプリケーションがアップデート可能な状態であるか否かを示す更新可否情報である。更新可否情報がアップデート可能な状態を示す場合、対象未インストールアプリケーションより新しいバージョンのアプリケーションをサーバからダウンロード可能な状態であることを示す。また、更新可否情報がアップデート不可能な状態を示す場合、対象未インストールアプリケーションが既に最新のアプリケーションであることを示す。
すなわち、ホーム画面構成情報記録データ４０には、対象未インストールアプリケーションの更新可否情報が含まれていてもよい。また、優先度判定部２５１は、ホーム画面構成情報記録データ４０に含まれる対象未インストールアプリケーションの更新可否情報に基づいて、優先度を判定してもよい。例えば、優先度判定部２５１は、ホーム画面構成情報記録データ４０に含まれる対象未インストールアプリケーションの更新可否情報がアップデート可能な状態を示す場合、優先度が高いと判定してもよい。
【０１１９】
また、ホーム画面構成情報記録データ４０には、ホーム画面構成情報記録データ４０が生成された時刻に、元端末装置において動作中であった対象未インストールアプリケーションに関する情報が含まれていてもよい。優先度判定部２５１は、ホーム画面構成情報記録データ４０が生成された時刻に、端末装置１において動作中であった対象未インストールアプリケーションの優先度が高いと判定してもよい。
【０１２０】
以上、本発明の実施形態について図面を参照して詳述してきたが、具体的な構成はこの実施形態に限られるものではなく、本発明の要旨を逸脱しない範囲の設計変更等も含まれる。
【０１２１】
例えば、上述の実施形態では、端末装置１は、無線通信ネットワーク２を介して他の装置と通信を行うが、これに限定されない。端末装置１は、無線又は有線の通信ネットワークを介して他の装置と通信を行うものであってもよい。この場合、端末装置１は、無線又は有線の通信ネットワークを介して、利用者情報管理サーバ３、第１アプリケーション提供サーバ４及び第２アプリケーション提供サーバ５にアクセスする。
【０１２２】
また、上述の実施形態では、ホーム画面構成情報記録データ４０はアイコン画像データを含むが、アイコン画像データをホーム画面構成情報記録データ４０に含めず、端末装置１がアプリケーションＩＤに基づいてアイコン画像データを取得してもよい。例えば、端末装置１は、第１アプリケーション提供サーバ４又は第２アプリケーション提供サーバ５からアイコン画像データを取得してもよい。又は、端末装置１が、予め、アイコン画像データを初期データファイルに保持してもよい。
【０１２３】
また、上述した端末装置１の機能を実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【０１２４】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【０１２５】
１…端末装置、２…無線通信ネットワーク、３…利用者情報管理サーバ、４…第１アプリケーション提供サーバ、５…第２アプリケーション提供サーバ、６…インターネット、１１…制御部、１２…記憶部、１３…通信部、１４…操作部、１５…表示部、１６…接続部、１７…記録媒体、２０…ホーム画面復元部、２１…ホーム画面構成部、２２…記録データ取得部、２３…記録データ記憶制御部、２４…アプリケーション起動部、２５…アプリケーションインストール部、２６…表示制御部、３１…ＯＳ、３２…制御プログラム、３３…アプリケーションプログラム、３３ａ…ホーム画面復元アプリケーション、３３ｂ…記録データ記憶制御アプリケーション、３４…データファイル、３４ａ…インストール済みアプリケーション情報ファイル、３４ｂ…差分情報ファイル、４０…ホーム画面構成情報記録データ、１００，２００…表示画面、１１０，２１０，２２０，２３０…ホーム画面、Ｇ…アイコン
【図１】
2017049936.tif 000003
【図２】
2017049936.tif 000004
【図３】
2017049936.tif 000005
【図４】
2017049936.tif 000006
【図５】
2017049936.tif 000007
【図６】
2017049936.tif 000008
【図７】
2017049936.tif 000009
【図８】
2017049936.tif 000010
【図９】
2017049936.tif 000011
【図１０】
2017049936.tif 000012
【図１１】
2017049936.tif 000013
【図１２】
2017049936.tif 000014
【図１３】
2017049936.tif 000015
【図１４】
2017049936.tif 000016
【手続補正書】
【提出日】平成29年1月13日(2017.1.13)
【手続補正１】
【補正対象書類名】特許請求の範囲
【補正対象項目名】全文
【補正方法】変更
【補正の内容】
【特許請求の範囲】
【請求項１】
ホーム画面を表示する表示部と、
自端末装置以外の端末装置である他端末装置のホーム画面の画面構成情報の記録データに含まれる各アプリケーションのアイコンのホーム画面における位置を示すアイコン位置情報に基づいて、自端末装置のアイコンを前記アイコン位置情報で示される位置に配置したホーム画面を構成するホーム画面構成部と、
前記他端末装置の各アプリケーションの使用情報に基づいて、前記記録データにアイコン位置情報が存在するアイコンに対応するアプリケーションであって自端末装置にインストールされていないアプリケーションである未インストールアプリケーションのインストール処理を実行するアプリケーションインストール部と
を備え、
前記アプリケーションインストール部は、前記使用情報に基づいて、前記未インストールアプリケーションの各々のインストール処理の実行の優先度を決定する
端末装置。
【請求項２】
前記アプリケーションインストール部は、前記使用情報で示される使用頻度が比較的少ない前記未インストールアプリケーションのうち重要度が大きい前記未インストールアプリケーションの前記優先度を上げる
請求項１に記載の端末装置。
【請求項３】
ホーム画面を表示する表示部と、
自端末装置以外の端末装置である他端末装置のホーム画面の画面構成情報の記録データに含まれる各アプリケーションのアイコンのホーム画面における位置を示すアイコン位置情報に基づいて、自端末装置のアイコンを前記アイコン位置情報で示される位置に配置したホーム画面を構成するホーム画面構成部と、
前記他端末装置の各アプリケーションの使用情報に基づいて、前記記録データにアイコン位置情報が存在するアイコンに対応するアプリケーションであって自端末装置にインストールされていないアプリケーションである未インストールアプリケーションのインストール処理を実行するアプリケーションインストール部と、
前記アプリケーションインストール部が行った前記未インストールアプリケーションのインストールの成否を判定する成否判定部と、
前記成否判定部の判定結果に基づいて、前記未インストールアプリケーションのアイコンをホーム画面上から削除する削除部と、
を備える端末装置。
【請求項４】
前記削除部は、
前記成否判定部の判定結果に基づいて、前記未インストールアプリケーションのアイコンをホーム画面上のサブフォルダ内に移動することにより、当該アイコンをホーム画面上から削除する
請求項３に記載の端末装置。
【請求項５】
前記成否判定部の判定結果に基づいて、前記未インストールアプリケーションのアイコンをホーム画面上から削除するか否かを示す画像を表示する表示制御部と、
前記表示制御部が前記画像を表示することに応じて、前記未インストールアプリケーションのアイコンをホーム画面上から削除する操作を受付ける操作受付部と、
を更に備え、
前記削除部は、
前記操作受付部が受付ける前記操作に基づいて、前記未インストールアプリケーションのアイコンをホーム画面上から削除する
請求項３又は請求項４に記載の端末装置。
【請求項６】
前記ホーム画面構成部は、前記使用情報に基づいて、前記記録データに含まれる前記アイコン位置情報の位置に前記未インストールアプリケーションを配置する
請求項１から請求項５のいずれか一項に記載の端末装置。
【請求項７】
前記ホーム画面構成部は、前記使用情報に基づいて、前記未インストールアプリケーションの各々のインストール後のアイコンの表示方法を決定する
請求項１から請求項６のいずれか一項に記載の端末装置。
【手続補正２】
【補正対象書類名】明細書
【補正対象項目名】０００５
【補正方法】変更
【補正の内容】
【０００５】
本発明は、このような事情を考慮してなされたものであり、復元前の端末装置のホーム画面の情報に基づいて、端末装置に表示されるホーム画面を復元する手間を低減することができる端末装置を提供することを課題とする。
【手続補正３】
【補正対象書類名】明細書
【補正対象項目名】０００６
【補正方法】変更
【補正の内容】
【０００６】
（１）本発明の一態様は、ホーム画面を表示する表示部と、自端末装置以外の端末装置である他端末装置のホーム画面の画面構成情報の記録データに含まれる各アプリケーションのアイコンのホーム画面における位置を示すアイコン位置情報に基づいて、自端末装置のアイコンを前記アイコン位置情報で示される位置に配置したホーム画面を構成するホーム画面構成部と、前記他端末装置の各アプリケーションの使用情報に基づいて、前記記録データにアイコン位置情報が存在するアイコンに対応するアプリケーションであって自端末装置にインストールされていないアプリケーションである未インストールアプリケーションのインストール処理を実行するアプリケーションインストール部と、を備える端末装置である。
（２）本発明の一態様は、上記（１）の端末装置において、前記アプリケーションインストール部は、前記使用情報に基づいて、前記未インストールアプリケーションの各々のインストール処理の実行の優先度を決定する、端末装置である。
（３）本発明の一態様は、上記（２）の端末装置において、前記アプリケーションインストール部は、前記使用情報で示される使用頻度が比較的少ない前記未インストールアプリケーションのうち重要度が大きい前記未インストールアプリケーションの前記優先度を上げる、端末装置である。
（４）本発明の一態様は、上記（１）から（３）のいずれかの端末装置において、前記ホーム画面構成部は、前記使用情報に基づいて、前記記録データに含まれる前記アイコン位置情報の位置に前記未インストールアプリケーションを配置する、端末装置である。
（５）本発明の一態様は、上記（１）又は（４）のいずれかの端末装置において、前記ホーム画面構成部は、前記使用情報に基づいて、前記未インストールアプリケーションの各々のインストール後のアイコンの表示方法を決定する、端末装置である。
（６）本発明の一態様は、上記（１）又は（５）のいずれかの端末装置において、前記アプリケーションインストール部が行った前記未インストールアプリケーションのインストールの成否を判定する成否判定部と、前記成否判定部の判定結果に基づいて、前記未インストールアプリケーションのアイコンをホーム画面上から削除する削除部と、を更に備える端末装置である。
（７）本発明の一態様は、上記（６）の端末装置において、前記削除部は、前記成否判定部の判定結果に基づいて、前記未インストールアプリケーションのアイコンをホーム画面上のサブフォルダ内に移動することにより、当該アイコンをホーム画面上から削除する、端末装置である。
（８）本発明の一態様は、上記（６）又は（７）のいずれかの端末装置において、前記成否判定部の判定結果に基づいて、前記未インストールアプリケーションのアイコンをホーム画面上から削除するか否かを示す画像を表示する表示制御部と、前記表示制御部が前記画像を表示することに応じて、前記未インストールアプリケーションのアイコンをホーム画面上から削除する操作を受付ける操作受付部と、を更に備え、前記削除部は、前記操作受付部が受付ける前記操作に基づいて、前記未インストールアプリケーションのアイコンをホーム画面上から削除する、端末装置である。